(57)【要約】【課題】塗布具の操作性を向上できる塗布用品を提供する。【解決手段】塗布剤６を保持している表面３１（第１面）、および表面３１と反対側の裏面３２（第２面）を有する保持シート３であって、塗布具２として機能する保持シート３を備え、表面３１は、塗布剤６を保持している第１領域３１１と、塗布剤６を保持していない第２領域３１２とを有し、第１領域３１１の外縁の一部は、保持シート３の外縁の一部である、塗布用品１が提供される。【選択図】図２
2020054435.tif 000002
【特許請求の範囲】
【請求項１】
塗布剤を保持している第１面、および前記第１面と反対側の第２面を有し、塗布具として機能する保持シートを備え、
前記第１面は、前記塗布剤を保持している第１領域と、前記塗布剤を保持していない第２領域とを有し、
前記第１領域の外縁の一部は、前記保持シートの外縁の一部である、塗布用品。
【請求項２】
前記保持シートには、折り曲げ予定線が設けられている、請求項１に記載の塗布用品。
【請求項３】
塗布剤を保持している第１面、および前記第１面と反対側の第２面を有し、塗布具として機能する保持シートを備え、
前記第１面は、前記塗布剤を保持している第１領域と、前記塗布剤を保持していない第２領域とを有し、
前記保持シートには、折り曲げ予定線が設けられている、塗布用品。
【請求項４】
前記折り曲げ予定線は、前記第１領域を通る、請求項２または３に記載の塗布用品。
【請求項５】
前記第１領域の少なくとも一部は、前記第２領域よりも、前記折り曲げ予定線が延びる２つの方向のうち少なくとも１つの方向の側にある、請求項２〜４のいずれか１項に記載の塗布用品。
【請求項６】
前記第２領域の少なくとも一部は、前記第１領域よりも、前記折り曲げ予定線が延びる２つの方向のうち少なくとも１つの方向の側にある、請求項２〜５のいずれか１項に記載の塗布用品。
【請求項７】
前記保持シートの前記第１面のうち前記第２領域と分離可能に接合している保護シートと、
前記保持シートの前記第２面または前記保持シートの外縁と分離可能に接合している支持シートと、
をさらに備える、請求項１〜６のいずれか１項に記載の塗布用品。
【請求項８】
前記保護シートは、前記第２領域の一部と接合していない、請求項７に記載の塗布用品。
【請求項９】
前記保持シートの前記第２面に、粘着部が設けられている、請求項７または８に記載の塗布用品。
【請求項１０】
前記保護シートのうち前記塗布剤に重畳する領域を介して前記塗布剤を視認可能である、請求項７〜９のいずれか１項に記載の塗布用品。
【発明の詳細な説明】
【技術分野】
【０００１】
本発明は、塗布用品に関する。
【背景技術】
【０００２】
従来、塗布剤が保持されており塗布具として機能する保持シートを含む塗布用品が知られている。例えば特許文献１には、化粧製品を塗布するための用品であって、シート状の塗布具を含むものが記載されている。この塗布具では、塗布面を形成する第１の面に、塗布すべき化粧製品（塗布剤）が保持されている。第１の面の反対側にある第２の面は、粘着層で覆われており、この粘着面（第２の面）を介して、指に塗布具を装着することが可能となっている。また、この塗布用品は、裏シートを備えている。裏シートは、塗布具の第２の面の粘着層を覆っている。塗布具の外縁を越えて突出している裏シートの部分が、塗布面に触れないで用品を取り上げるために保持できる把持領域を形成している。
【先行技術文献】
【特許文献】
【０００３】
【特許文献１】特開２００５−２６１９４７号公報
【発明の概要】
【発明が解決しようとする課題】
【０００４】
塗布用品から取り出された後の塗布具を使用する際、または使用後に当該塗布具を廃棄する際には、塗布具のうち塗布面を含む部位で塗布具を把持したり、塗布具を変形させたりできるほうが、操作性という観点からは好ましい。
【０００５】
しかし、上記特許文献１に記載の塗布用品では、取り出された後の塗布具における塗布面（第１の面）の全ての領域に塗布剤が保持されている。このため、使用者が、塗布具を使用等する際、塗布剤に指が触れることを避けつつ、塗布具のうち塗布面を含む部位で塗布具を把持したり、塗布具を変形させたりすることが、容易でない。すなわち、従来の塗布用品では、塗布具の操作性を向上することが希求されていた。
【０００６】
そこで、本発明は、塗布具の操作性を向上できる塗布用品に関する。
【課題を解決するための手段】
【０００７】
本発明のある観点によれば、塗布剤を保持している第１面、および第１面と反対側の第２面を有する保持シートであって、塗布具として機能する保持シートを備え、第１面は、塗布剤を保持している第１領域と、塗布剤を保持していない第２領域とを有する、塗布用品が提供される。
【発明の効果】
【０００８】
本発明の塗布用品によれば、塗布具の操作性を向上できる。
【図面の簡単な説明】
【０００９】
【図１】本発明の第１の実施形態に係る塗布用品の平面図である。
【図２】同実施形態に係る、保護シートが省略された状態の塗布用品の平面図である。
【図３】同実施形態に係る保護シートの平面図である。
【図４】同実施形態に係る塗布用品の、図１のＩＶ−ＩＶ方向から見た断面図である。
【図５】同実施形態に係る保持シートの取り出し作業を示す図である。
【図６】同実施形態に係る保持シートの取り出し作業を示す図である。
【図７】同実施形態に係る塗布具の使用状態を示す図である。
【図８】本発明の第２の実施形態に係る塗布用品の平面図である。
【図９】第１の変形例に係る保持シートの平面図である。
【図１０】同変形例に係る塗布具の使用状態を示す図である。
【図１１】第２の変形例に係る保持シートの平面図である。
【図１２】同変形例に係る塗布具の使用状態を示す図である。
【図１３】第３の変形例に係る保持シートの平面図である。
【図１４】同変形例に係る塗布具の使用状態を示す図である。
【図１５】第４の変形例に係る保持シートの平面図である。
【図１６】同変形例に係る塗布具の使用状態を示す図である。
【図１７】第５および第６の変形例に係る保持シートの平面図である。
【図１８】第５の変形例に係る塗布具の使用状態を示す図である。
【図１９】第６の変形例に係る塗布具の使用状態を示す図である。
【図２０】第７の変形例に係る保持シートの平面図である。
【図２１】同変形例に係る塗布具の使用状態を示す図である。
【図２２】第８の変形例に係る保持シートの平面図である。
【図２３】同変形例に係る塗布具の第１の使用状態を示す図である。
【図２４】同変形例に係る塗布具の第２の使用状態を示す図である。
【図２５】第９の変形例に係る複数の保持シートの平面図である。
【図２６】同変形例に係る塗布具の使用状態を示す図である。
【発明を実施するための形態】
【００１０】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１１】
＜第１の実施形態＞
まず、図１〜４を参照して、第１の実施形態に係る塗布用品の構成について説明する。図１、４に示すように、塗布用品１は、複数のシートが積層したシート状である。図４において、理解を容易にするため、各シートの厚さは誇張して描かれている。塗布用品１の平面視における形状は、例えば矩形であるが、正方形その他の多角形でもよいし、円または楕円その他の曲線で囲まれた任意の図形でもよい。塗布用品１は、保持シート３、支持シート４、および保護シート９を備える。ここで「シート」とは、薄く平たい部材のことであるが、その厚さは均一でなくてもよく、厚さ方向の断面が湾曲した凸形状等であってもよく、表面に凹凸があってもよい。シートの表面に、エンボス加工等の加工が適宜施されていてもよい。
【００１２】
保持シート３は、塗布剤を保持可能なシートであればよく、特に制限はない。ここで「保持」は、堆積または含浸その他の任意の態様を含む。保持シート３は、可撓性のある基材シートの上に、塗布剤を保持可能な面が形成されたものであってよい。例えば、保持シート３は、多孔性の基材シートにおける細孔中に半固形状または液状の塗布剤が含浸されたものであってもよいし、基材シートの上に、接着剤層を介して短繊維すなわちフロック材料またはパイルが結合することで、粉末状の塗布剤を保持可能な層が形成されたもの等であってもよい。上記基材シートの例として、樹脂製のフィルム、織物・編物・フェルトまたは不織布、多孔性の発泡シート等が挙げられる。また、保持シート３が、織物・編物・フェルトまたは不織布、多孔性の発泡シート等で形成されていてもよい。図４で、塗布剤６は保持シート３とは別の層として描かれているが、塗布剤６が保持シート３の内部に含浸等により保持される場合には、塗布剤６は保持シート３と同じ層であってよい。図２、４に示すように、保持シート３は、表面（おもてめん。以下同じ。）３１および裏面３２を有する。表面３１は保持シート３の第１面に相当する。裏面３２は、第１面と反対側の第２面に相当する。塗布剤６が保持シート３の内部に含浸等により保持される場合には、塗布剤６は表面３１だけでなく裏面３２にも露出可能または滲出可能であってよい。
【００１３】
図２に示すように、表面３１は、塗布剤６を保持するための第１領域３１１と、塗布剤６を保持する目的を有していない第２領域３１２とを有する。本実施形態の塗布剤６は、化粧品または化粧製品の化粧料である。化粧料は、例えば、口紅、アイシャドウ、アイブロウ、ファンデーション、チークカラー、マニキュア等であってもよいし、仕上げ用すなわちメイクアップ用に限らず、メイク落とし用、スキンケア用等の基礎用、頭髪用、芳香用、薬用等の化粧料であってもよい。化粧料は、油性固形化粧料または固形粉末化粧料であってよいし、固体を主成分とするものに限らず液体を主成分とするものであってもよい。
【００１４】
第１領域３１１は、塗布剤６の層により覆われているか、または、塗布剤６が保持シート３の内部に含浸等により保持される場合には、第１領域３１１に塗布剤６が露出可能または滲出可能である。第２領域３１２は、塗布剤６の層により覆われていないか、または、塗布剤６が保持シート３の内部に含浸等により保持される場合には、第１領域３１１に比べ、第２領域３１２への塗布剤６の露出もしくは滲出が抑制されている。言い換えると、第１領域３１１に比べ、上記露出または滲出の可能性または程度が低い。平面視で、保持シート３（表面３１）は、対称軸線３００を基準とする線対称のハート形である。第１領域３１１は円形である。第２領域３１２は、表面３１に沿う方向で第１領域３１１から突出する爪状または耳状の部分を、２つ有する。これらの部分３１２Ａ，３１２Ｂは、対称軸線３００を挟んで両側にあり、互いに線対称の形状を有する。両部分３１２Ａ，３１２Ｂの外縁の一部は、保持シート３の外縁の一部である。これらの部分３１２Ａ，３１２Ｂが第１領域３１１に対して突出する方向３０９が互いになす角度は、９０度またはその近傍である。この角度は、上記方向３０９における両部分３１２Ａ，３１２Ｂの先端と第１領域３１１の中心３１０とがなす角度であってよい。上記先端は、例えば部分３１２Ａ，３１２Ｂの外縁のうち中心３１０からの距離が最も大きい部位である。
【００１５】
これらの部分３１２Ａ，３１２Ｂの外縁のうち、上記突出する方向３０９における先端側は、外側に凸に湾曲している。図２に示すように、第２領域３１２の一部３１６は、第１領域３１１に対し、対称軸線３００が延びる２つの方向３０５，３０７のうち１つの方向３０５の側に突出している。上記一部３１６の輪郭の一部を破線で示す。上記一部３１６は、対称軸線３００を挟む両側が、互いに連続している。上記一部３１６の外縁は、対称軸線３００が延びる方向３０７で第１領域３１１に向かって凹み、かつ対称軸線３００に重なる凹部３１８を有する。両部分３１２Ａ，３１２Ｂの外縁は、この凹部３１８を介して互いに連続する。
【００１６】
保持シート３の対称軸線３００は、第１領域３１１の中心３１０を通る。対称軸線３００を挟んで両側に第１領域３１１がある。対称軸線３００は、第１領域３１１を通る第１部分３０１と、第１部分３０１に連続して第２領域３１２にある第２部分３０２とを有する。第２部分３０２は、第１部分３０１に滑らかに連続して第２領域３１２を通る。
【００１７】
第１領域３１１の外縁のうち、対称軸線３００が延びる２方向３０５，３０７のうち他の１つの方向３０７の側の一部３１３は、保持シート３の外縁の一部である。第１領域３１１の外縁の上記一部３１３は、保持シート３における表面３１の外縁の一部と一致し、重なり合っている。上記一部３１３は、円弧であり、外側に凸に湾曲している。上記一部３１３は、第２領域３１２の上記２つの部分３１２Ａ，３１２Ｂの外縁に滑らかに連続する。上記一部３１３を輪郭に含む第１領域３１１の一部３１５は、第２領域３１２に対し、上記他の１つの方向３０７の側に突出している。上記一部３１５の輪郭の一部を破線で示す。
【００１８】
なお、第１領域３１１および第２領域３１２の形状は任意であり、それぞれ、矩形その他の多角形でもよいし、曲線で囲まれた任意の図形でもよい。第１領域３１１または第２領域３１２は、中空の環状であってもよい。
【００１９】
図４に示すように、保持シート３の裏面３２のうち表面３１の第１領域３１１および第２領域３１２に重畳する領域は、粘着剤の層、すなわち粘着層８２で覆われている。裏面３２のうち、第１領域３１１に重畳する領域の粘着層８２と、第２領域３１２に重畳する領域の粘着層８２とは、連続している。粘着層８２が有する接合の力、すなわち粘着力を調整するために、例えば粘着剤の種類または塗布パターンを異ならせてもよい。
【００２０】
図２、４に示すように、支持シート４は、第１支持シート４１および第２支持シート４２を有する。第１支持シート４１は、保持シート３の裏面３２を覆って支持する裏シートである。第１支持シート４１は、可撓性があり、表面４１１および裏面４１２を有する。第１支持シート４１は、樹脂製であってもよいし、不織布等の繊維製、または紙製等であってもよい。第２支持シート４２は、保持シート３の外縁を囲んで支持する外周シートである。第２支持シート４２は、可撓性があり、表面４２１および裏面４２２を有する。第２支持シート４２は、保持シート３と共通の材質および層構造を有していてもよいし、塗布剤６を保持していてもいなくてもよい。第２支持シート４２には１つのハート形の孔４２３が貫通している。孔４２３には保持シート３が嵌まっている。第２支持シート４２は、保持シート３の外縁に対向しており、保持シート３とともに１つの本体シート５を構成している。
【００２１】
言い換えると、保持シート３は、本体シート５の一部であり、切れ目５０により囲まれる部分である。切れ目５０は、保持シート３を囲んで連続している。保持シート３は、切れ目５０により、本体シート５から取り外し可能である。切れ目５０は、本体シート５の厚さ方向に延び、本体シート５の表面５１および裏面５２に接続している。第２支持シート４２における孔４２３の内縁、言い換えると内周面と、保持シート３の外縁、言い換えると外周面とは、少なくとも部分的に、互いに接している。保持シート３が本体シート５から取り外される際、孔４２３の内縁に対して保持シート３の外縁が本体シート５の厚み方向に滑る。この滑り方向では、両縁の間に摩擦力が生じる。すなわち、第２支持シート４２は、保持シート３の外縁と分離可能に接合している。保持シート３の表面３１の第２領域３１２は、本体シート５の表面５１の一部として、第２支持シート４２の表面４２１に連続している。
【００２２】
本体シート５の裏面５２は、粘着層８４により覆われている。保持シート３の裏面３２の粘着層８２は、粘着層８４の一部である。また、第２支持シート４２の裏面４２２は、粘着層８３により覆われている。この粘着層８３も、粘着層８４の一部である。粘着層８４には、保持シート３の外縁の位置に切れ目５００が設けられている。切れ目５００は、上記切れ目５０の一部であり、例えば切れ目５０と同じ工程で形成されうる。切れ目５００は、保持シート３を囲んで連続している。切れ目５００は、粘着層８４の厚さ方向に延び、粘着層８４の表面および裏面に接続している。本体シート５の裏面５２の粘着層８４は、第１支持シート４１の表面４１１に重畳、言い換えると対向しており、表面４１１と裏面５２とを分離可能に接着させている。保持シート３の第１領域３１１および第２領域３１２に重畳する領域を含む裏面３２の粘着層８２は、粘着部として機能する。第１支持シート４１は、本体シート５の裏面５２、具体的には保持シート３の裏面３２を保護するための保護シートとして機能する。保持シート３の粘着層８２との粘着の力を弱めるため、第１支持シート４１の表面４１１に剥離加工が施されていてもよい。例えば、第１支持シート４１は剥離紙であってもよい。
【００２３】
図３、４に示すように、保護シート９は、保持シート３の表面３１を覆う表（おもて）シートである。保護シート９は、可撓性のある粘着フィルムであり、樹脂製であってもよいし、不織布等の繊維製、または紙製等であってもよい。保護シート９は、表面９１および裏面９２を有する。裏面９２は、本体シート５の表面５１、具体的には保持シート３の表面３１および第２支持シート４２の表面４２１に、重畳している。保護シート９の裏面９２は、部分的に粘着層が設けられていない。図３に示すように、裏面９２のうち第３領域９２３および第４領域９２４は、粘着層により覆われておらず、裏面９２のうち第３領域９２３および第４領域９２４を除く領域は、粘着層８１により覆われている。第３領域９２３は、保持シート３の表面３１のうち第２領域３１２の１つの部分３１２Ａ（図２参照）を除いたものと同じ形状、言い換えると第１領域３１１と第２領域３１２の他の１つの部分３１２Ｂとを合わせたものと同じ形状であり、この「第１領域３１１および第２領域３１２の部分３１２Ｂを合わせたもの」と平面視で輪郭が一致して重なるように配置されている。第４領域９２４は、保護シート９の一辺９０１に沿って延びる矩形状であり、保護シート９の外縁に連続している。
【００２４】
保護シート９の裏面９２のうち、保持シート３の第１領域３１１と第２領域３１２の部分３１２Ｂとに重畳する第３領域９２３は、粘着層８１により覆われておらず、第１領域３１１および部分３１２Ｂと分離可能に接着していない。第３領域９２３は、第１領域３１１を覆うことで、第１領域３１１に保持されている塗布剤６を保護するための保護部として機能する。第３領域９２３は、例えば糊殺し加工が施されていてもよい。保護シート９の裏面９２のうち、保持シート３の表面３１の第２領域３１２における部分３１２Ａ（図２参照）に重畳する領域９２２は、粘着層８１により覆われており、第２領域３１２の部分３１２Ａと分離可能に接着している。上記領域９２２の粘着層８１は、部分３１２Ａに対する粘着部として機能する。保護シート９の裏面９２のうち、保持シート３の周囲に重畳する領域９２５は、粘着層８１により覆われており、第２支持シート４２の孔４２３の周囲と分離可能に接着している。上記領域９２５の粘着層８１は、第２支持シート４２に対する粘着部として機能する。なお、粘着部は、粘着機能を有する部分であればよく、平面状の粘着層８１、８２に限らない。例えば、粘着部は、線状、例えば直線状、曲線状または螺旋状でもよく、点状であってもよい。粘着層８１、８２を介して接着する場合、適度な接着力を簡便に得ることができる。
【００２５】
平面視で、保護シート９の第４領域９２４における任意の位置と保持シート３とを結ぶ直線の方向、例えば図１において矢印１０で示す方向を、基準剥がし方向とする。保護シート９と保持シート３の部分３１２Ａとの接着部分である領域９２２における保護シート９の剥離強度は、保持シート３と第１支持シート４１との接着部分における保持シート３の剥離強度よりも、大きい。ここで「剥離強度」は、所定の速度での引き剥がしに際して生じる抵抗力であり、剥がし方向に対し直交する方向、言い換えると剥離先端に沿った直線方向における接着部分の単位長さ当たりの力（Ｎ／ｍｍ）で表される。剥離強度の測定方法としては、例えば所定の剥離接着強さ試験方法（ＪＩＳ  Ｋ６８５４−２、ＪＩＳ  Ｋ６８５４−３）を用いることができる。なお、所定の粘着テープ・粘着シート試験方法（ＪＩＳ  Ｚ０２３７）により粘着力を測定してもよい。上記各試験方法で用いる試験片として、図１、４で示される実際の塗布用品を用いることができる。すなわち、剥離強度を比較する両接着部分の形状または大きさが互いに異なる試験片を用いてもよい。上記比較のための剥離強度として、例えば基準剥がし方向１０における剥離強度を用いることができる。さらに、本実施形態の塗布用品１においては、保持シート３と保護シート９との剥離強度が、第１支持シート４１と第２支持シート４２の両方を含む支持シート４と保持シート３との剥離強度よりも大きい。これらの剥離強度を比較するため、上記各試験に準じ、実際の塗布用品を用いて、第１，第２支持シート４１，４２を含む支持シート４と保持シート３との剥離強度を測定してもよい。
【００２６】
次に、図５〜７を参照して、本実施形態に係る塗布用品１の使用方法を説明する。塗布用品１はシート状であるため、携帯性に優れている。この塗布用品１からは保持シート３が取り出され、この保持シート３は塗布具２として機能する。図７に示すように、塗布具２は、シート状の塗布用具であって、その表面に塗布剤６が保持されている。塗布剤６を保持している面は、塗布剤６を保持している第１領域３１１と、塗布剤６を保持していない第２領域３１２とを有している。図５は、使用者が塗布用品１から保持シート３を取り出す作業（以下、取り出し作業という。）における第１のステップを示す。図５における塗布用品１の断面は、図１のＩＶ−ＩＶ方向から見たものである。第１ステップで、使用者は、保護シート９を第２支持シート４２から引き剥がそうとして、保護シート９の第４領域９２４を含む部位を手の指で把持し、図５に示すように捲り上げて、第２支持シート４２および第１支持シート４１から引き離すとともに、更に保護シート９の第４領域９２４を含む部位を基準剥がし方向１０に進行させる。保護シート９の第４領域９２４を含む部分は、第２支持シート４２から保護シート９を剥がすために把持される把持部として機能する。
【００２７】
２つのシート９，４２が互いに剥がれる境界である剥離先端が、保持シート３の表面３１における第２領域３１２のうち上記１つの部分３１２Ａに差し掛かると、保持シート３の部分３１２Ａと保護シート９の粘着層８１との接着力により、保持シート３の部分３１２Ａが保護シート９に接着した状態で、保持シート３の裏面３２の粘着層８２が第１支持シート４１から引き離され、剥がれる。同時に、保持シート３の外縁が、第２支持シート４２の孔４２３の内縁から引き離され、切り離される。このように使用者が保護シート９を剥がす力により、保持シート３は、保護シート９との接着状態を保ったまま、第１支持シート４１から引き離され、剥がされるとともに、第２支持シート４２から取り外される。第１支持シート４１から剥がされた保持シート３の裏面３２の粘着層８２は、塗布用品１の外部に露出する。保持シート３の表面３１のうち第２領域３１２の部分３１２Ａは、保護シート９の領域９２２の粘着層８１と接着している。
【００２８】
取り出し作業における第２のステップで、使用者は、保持シート３のうち、保護シート９の粘着層８１と接着していない第２領域３１２の上記他の部分３１２Ｂを含む部位を、手の指で把持することができる。図６に示すように、使用者は、第２領域３１２の上記１つの部分３１２Ａを含む部位と輪郭を合わせるように、部分３１２Ｂを含む部位を折り返すことができる。このとき、保持シート３は、表面３１が表側となり塗布剤６が露出するよう、対称軸線３００に沿って折り曲げられる。保持シート３の対向する裏面３２同士、具体的には裏面３２において第２領域３１２の部分３１２Ａに重畳する領域と、部分３１２Ｂに重畳する領域とは、粘着層８２を介して互いに接着する。このように保持シート３が折り曲げられて変形することで、塗布具２が形成される。
【００２９】
取り出し作業における第３のステップで、使用者は、保持シート３の第２領域３１２を含む部位を把持し、第２領域３１２の上記１つの部分３１２Ａを含む部位を、保護シート９の領域９２２の粘着層８１から引き剥がすことができる。これにより、図７に示すように、変形後の保持シート３が取り出された状態が実現され、この状態で上記変形後の保持シート３が塗布具２として使用される。第２領域３１２を含む部位は、塗布具２を使用する際に把持される把持部として機能する。第１領域３１１には塗布剤６が保持されており、塗布対象に塗布され得る。このように塗布具２と塗布剤６が一体であるため、チップ、ブラシ、パフ等の他の道具を使わず、塗布具２を用いて塗布することができる。塗布対象は、人または農用、愛玩用もしくは実験用の動物の肌、粘膜、毛髪、爪等であってよい。
【００３０】
なお、使用者は、取り出し作業における第１のステップの後、変形前の保持シート３を保護シート９から剥がしてから、保持シート３を折り曲げて塗布具２を形成してもよい。例えば、第１のステップの後、露出している保持シート３の裏面３２の粘着層８２に手指の腹を載せ、指と裏面３２とを接着させる。この状態で指を保護シート９から引き離すと、上記接着の力により、指と裏面３２とが接着した状態のまま、保持シート３の表面３１の部分３１２Ａが保護シート９の粘着層８１から剥がれうる。その後、使用者は、第２領域３１２を含む部位を把持し、上記のように保持シート３を折り曲げることで、塗布具２を形成することができる。また、使用者は、第１のステップの後、変形前の保持シート３を保護シート９から剥がしてから、上記のように折り曲げない状態の保持シート３、すなわち塗布用品１から取り出された平面状の保持シート３を、そのまま塗布具２として用いることもできる。
【００３１】
このように、塗布用品１は、塗布剤６を保持している表面３１、および表面３１と反対側の裏面３２を有する保持シート３を備える。表面３１は、塗布剤６を保持している第１領域３１１と、塗布剤６を保持していない第２領域３１２とを有する。よって、使用者は、表面３１の第２領域３１２を含む部位を把持して、保持シート３を塗布用品１から取り出したり、塗布具２として使用したりすることができる。第２領域３１２が把持部として機能することで、塗布具２の取り出し時や使用中、使用者の指が第１領域３１１の塗布剤６に触れる必要がない。このため、塗布剤６と指との干渉、およびこれによる塗布剤６の脱落や指への付着を抑制できる。塗布具２の使用後は、第２領域３１２を含む部位を把持して塗布具２を廃棄できるため、指への塗布剤６の付着を抑制できる。よって、塗布具２の操作性を向上できる。
【００３２】
表面３１における第２領域３１２の外縁の一部は、保持シート３の外縁の一部である。言い換えると、第２領域３１２の外縁の一部は、保持シート３の外縁に重畳している。よって、保持シート３の外縁のうち、第２領域３１２の外縁に重畳している上記一部またはその近傍を、把持に用いることができる。このため、塗布具２の把持性が良好であり、第２領域３１２の把持部としての機能を向上することができるため、塗布具２の操作性をより向上できる。
【００３３】
表面３１における第１領域３１１の外縁の一部３１３は、保持シート３の外縁の一部である。言い換えると、第１領域３１１の外縁の一部３１３は、保持シート３の外縁に重畳している。よって、保持シート３の外縁のうち、第１領域３１１の外縁に重畳している上記一部またはその近傍を、塗布に用いることができる。塗布剤６が保持されている部分を、面として使うだけでなく、外縁に沿った方向、言い換えると周方向に動かすことで、線として使うことができるため、細かい部分の塗布が可能となり、塗布具２の塗布機能を向上できる。線的に塗布できるため、塗布具２を小チップとして用いることができ、指では塗布できない細かい部分、例えばリップライン、アイライン、アイブロウ等の線状部分の塗布が可能となる。一方、面的にも塗布できるため、塗布具２を大チップとして用いることができ、細かさが比較的要求されない面状部分、例えば唇のうちリップラインで囲まれた部分を、効率的に塗布できる。
【００３４】
また、第１領域３１１は、保持シート３の表面３１の外縁の少なくとも一部に連続しているため、表面３１は、外縁の上記一部まで塗布剤６を保持することが可能となる。これにより、表面３１の面積を小さくして保持シート３のサイズアップ抑制を図る場合でも、塗布剤６が保持される領域を保持シート３の外縁まで拡張することで、保持シート３において塗布剤６が占める面積を大きく確保できる。
【００３５】
また、使用者は、第２領域３１２を含む部位を把持して保持シート３を変形させる、例えば折り曲げることで、塗布具２を形成することができる。折り曲げることで、保持シート３を立体的に変形させ、塗布具２を塗布しやすい形状にすることができるため、塗布機能を向上できる。以下、実際に折り曲げられた折り目を折り曲げ部分２０という。ここで「折り曲げ部分」は、互いに角度を有する面同士を接続する境界およびその近傍を含み、面同士を接続する曲面状の部分であってもよい。折り曲げ部分を挟む面同士がなす角度は、鋭角に限らず鈍角であってもよい。折り曲げにより対向するシート同士が接触していなくてもよい。
【００３６】
保持シート３の表面３１の輪郭、言い換えると保持シート３の外縁は、線対称であってよい。この場合、使用者は、折り曲げにより対向するシート部分の外縁同士を合わせることで、対称軸線３００に沿って保持シート３を折り曲げやすい。ここで、対称軸線３００は、折り曲げ予定線として機能する。言い換えると、保持シート３には、使用者により折り曲げられることが予定された線状部分である折り曲げ予定線が設けられている。よって、使用者は、折り曲げ予定線に沿って保持シート３を折り曲げることで、塗布具２を容易に所定の好ましい形状に形成することができる。実際に折り曲げられた状態の保持シート３すなわち塗布具２において、折り曲げ予定線に相当する部位が、折り曲げ線３０である。なお、保持シート３の輪郭は線対称でなくてもよい。
【００３７】
折り曲げ予定線としての対称軸線３００は、第２領域３１２の少なくとも一部を通ってよい。言い換えると、折り曲げ予定線の少なくとも一部は、第２領域３１２に重なっていてよい。この場合、折り曲げ予定線に沿って保持シート３を折り曲げる際に、使用者の指が第１領域３１１の塗布剤６に触れるおそれが少ない。また、保持シート３の外縁の一部である第２領域３１２の外縁の一部に、折り曲げ予定線が含まれている。言い換えると、折り曲げ線３０と第２領域３１２の外縁の上記一部とが交差する。これによって、使用者は、より容易に、塗布剤６に触れずに保持シート３を折り曲げることができる。
【００３８】
折り曲げ予定線としての対称軸線３００は、第１領域３１１の少なくとも一部を通ってよい。言い換えると、折り曲げ予定線の少なくとも一部は、第１領域３１１に重なっている。この場合、折り曲げ予定線に沿って折り曲げられた状態の保持シート３すなわち塗布具２において、折り曲げ線３０のうち第１領域３１１に重なっている部分は、塗布剤６を保持しているとともに、塗布具２の外縁の一部となっている。よって、塗布具２の外縁の上記一部またはその近傍を、塗布に用いることができるため、塗布具２の塗布機能を向上できる。すなわち、折り曲げ部分２０を、塗布剤６が保持された線状部分として、細かい部分の塗布に用いることができる。
【００３９】
言い換えると、折り曲げ予定線が第１領域３１１に重なっていれば、第１領域３１１を立体的に変形させ、塗布しやすい形状にすることができる。折り曲げ部分２０が表側に露出するように折ることで、塗布剤６が露出する部分を面として使うだけでなく、折り曲げ部分２０で線として使うことができる。折り曲げ部分２０は、その曲率が大きいほど線的な塗布を可能にする部分として機能しやすく、その曲率が小さいほど面的な塗布を可能にする部分として機能しやすい。折り曲げ部分２０は、当該部分２０を用いて、塗布対象に対応した線的な塗布が可能な程度の曲率を有することが好ましい。保持シート３の外縁のうち第１領域３１１に連続している部分に比べ、折り曲げ部分２０は、より多くの塗布剤６を保持することができるため、折り曲げ部分２０を用いることで、線的な塗布機能を向上できる。一方、第１領域３１１のうち折り曲げ部分２０でない部分を用いて、面的な塗布が可能である。なお、折り曲げ予定線は、第１領域３１１を通らなくてもよい。
【００４０】
第１領域３１１の外縁の一部３１３は、保持シート３の外縁の一部である。第１領域３１１の外縁の上記一部３１３に折り曲げ予定線としての対称軸線３００が含まれていてよい。この場合、折り曲げ線３０と上記一部３１３とが交差する部分を、塗布剤６が保持された角部とすることが可能である。この角部の先端およびその近傍である点状部分を塗布に用いることで、より細かい部分の塗布が可能となる。なお、折り曲げ線３０が延びる方向で内側に切れ込む凹部を第１領域３１１の外縁に予め形成する等により、折り曲げ線３０と上記外縁とが交差する上記部分を、角部がない形状、例えば外側に凸の曲線状としてもよい。なお、第１領域３１１の外縁の一部３１３に、折り曲げ予定線が含まれなくてもよい。言い換えると、上記一部３１３と折り曲げ線３０とが交差しなくてもよい。
【００４１】
保持シート３の表面３１の第２領域３１２のうち、保護シート９と接合、具体的には接着している部分３１２Ａと、保護シート９と接合していない部分３１２Ｂとの境界線が、対称軸線３００と重畳していてよい。この場合、対称軸線３００が折り曲げ予定線として機能することを、上記境界線によって促進できる。逆に、上記境界線が折り曲げ予定線として機能することを、対称軸線３００によって促進できる。なお、折り曲げ予定線は、保持シート３の表面３１、または表面３１を覆う保護シート９に視覚的に表示または指示もしくはガイドされた線であってもよい。また、保持シート３は、線状の脆弱部を有してもよい。この場合、使用者は、脆弱部に沿って折り曲げることで、保持シート３を折り曲げやすい。このような脆弱部は折り曲げ予定線として機能する。脆弱部は、ミシン目、罫線加工、またはハーフカット等により形成されうる。
【００４２】
折り曲げ予定線としての対称軸線３００を挟んで両側に第１領域３１１があってよい。この場合、塗布具２において、折り曲げ線３０を挟んで両側に第１領域３１１、すなわち塗布剤６を保持している面があることで、塗布方向の選択の幅が広がるため、塗布機能が向上する。なお、折り曲げ予定線としての対称軸線３００に対し片側にのみ第１領域３１１があってもよい。
【００４３】
第１領域３１１の輪郭または外縁は、折り曲げ予定線としての対称軸線３００を基準とした線対称であってよい。この場合、折り曲げ予定線を挟んで両側の第１領域３１１、すなわち塗布剤６を保持している面が、対称形状であるため、塗布機能を安定的に得ることが可能である。これは、保持シート３が、折り曲げ予定線としての対称軸線３００に沿って折り曲げられる場合に限らず、折り曲げられない状態で使用される場合も、同様である。なお、第１領域３１１の輪郭は線対称でなくてもよい。
【００４４】
折り曲げ予定線としての対称軸線３００は、第２領域３１２の少なくとも一部を通ってよい。言い換えると、折り曲げ予定線の少なくとも一部は、第２領域３１２に重なっていてよい。この場合、使用者は、保持シート３を折り曲げ予定線に沿って折り曲げることで、第２領域３１２を含む部位を容易に変形させることができる。第２領域３１２を変形させることで、把持しやすい大きさ、形状、または位置の把持部を形成することができる。また、第２領域３１２の変形に伴い、第２領域３１２に連続する第１領域３１１を変形させることが可能である。
【００４５】
折り曲げ予定線を挟んで両側に第２領域３１２があってよい。この場合、塗布具２において、折り曲げ線３０を挟んで両側に第２領域３１２があることで、塗布具２を把持しやすい。例えば、一方側の第２領域３１２を１つの指に、他方側の第２領域３１２を他の指に接触させ、これら第２領域３１２を含む部位を指で挟み込んだ状態で、塗布具２を把持できる。なお、折り曲げ予定線に対し片側にのみ第２領域３１２があってもよい。
【００４６】
第２領域３１２の輪郭または外縁は、折り曲げ予定線としての対称軸線３００を基準とした線対称であってよい。この場合、折り曲げ予定線を挟んで両側の第２領域３１２すなわち把持部が対称形状であるため、折り曲げにより対向する上記両側の第２領域３１２を含む部位同士の外縁を合わせることで、把持しやすい把持部を容易に形成することができる。なお、第２領域３１２の輪郭は線対称でなくてもよい。
【００４７】
折り曲げ予定線としての対称軸線３００は、第１領域３１１を通る第１部分３０１と、第１部分３０１に滑らかに連続して第２領域３１２を通る第２部分３０２とを有してよい。この場合、使用者が、第２領域３１２を含む部位を把持して第２部分３０２に沿って保持シート３の第２領域３１２を折り曲げる際、第１部分３０１が第２部分３０２に滑らかに連続しているため、第１部分３０１に沿って保持シート３の第１領域３１１をより容易に折り曲げることが可能である。
【００４８】
第１領域３１１の外縁の一部３１３は、外側に凸に湾曲していてよい。この場合、塗布具２において、塗布剤６が保持された第１領域３１１の外縁の一部が外側に突出する。この突出した外縁を含む部位を、外縁に沿った方向、言い換えると周方向に動かすことで、塗布具２を小チップとして用いることができる。一方、上記突出した外縁の近傍における第１領域３１１の面を、塗布対象の面に近づけるよう、少し傾けると、塗布具２を大チップとして用いることができる。このように線的な塗布と面的な塗布の使い分けが容易であるため、塗布具２の操作性・塗布機能を向上できる。また、外縁の上記一部３１３が湾曲した形状であるため、人の肌等への接触圧力が低減され、柔らかな接触感覚となる。よって、塗布具２の使用感を向上できる。以上は、保持シート３が、折り曲げ予定線としての対称軸線３００に沿って折り曲げられる場合に限らず、折り曲げられない状態で使用される場合も、同様である。
【００４９】
第１領域３１１の少なくとも一部３１５は、第２領域３１２よりも、折り曲げ予定線としての対称軸線３００が延びる２つの方向３０５，３０７のうち少なくとも１つの方向３０７の側にあってよい。この場合、第１領域３１１の上記一部３１５、すなわち塗布剤６を保持する部分が、対称軸線３００の方向で、第２領域３１２、言い換えると把持部から遠くに位置することになる。よって、使用者が、把持している第２領域３１２を少し動かすだけで、塗布剤６を保持している第１領域３１１の上記一部３１５を大きく動かすことができる。これにより、塗布具２の操作性・塗布機能を向上できる。これは、保持シート３が、折り曲げ予定線としての対称軸線３００に沿って折り曲げられる場合に限らず、折り曲げられない状態で使用される場合も、同様である。
【００５０】
第２領域３１２の少なくとも一部３１６は、第１領域３１１よりも、折り曲げ予定線としての対称軸線３００が延びる２つの方向３０５，３０７のうち少なくとも１つの方向３０５の側にあってよい。この場合、第１領域３１１、言い換えると塗布剤６を保持する部分が、対称軸線３００の方向で、第２領域３１２、言い換えると把持部から遠くに位置するため、使用者が、把持している第２領域３１２を少し動かすだけで、塗布剤６を保持している第１領域３１１を大きく動かすことができる。これにより、塗布具２の操作性・塗布機能を向上できる。これは、保持シート３が、折り曲げ予定線としての対称軸線３００に沿って折り曲げられる場合に限らず、折り曲げられない状態で使用される場合も、同様である。
【００５１】
第２領域３１２のうち、第１領域３１１よりも、折り曲げ予定線としての対称軸線３００が延びる２つの方向３０５，３０７のうち１つの方向３０５の側にある部分３１６の外縁は、上記２つの方向３０５，３０７のうち他の１つの方向３０７の側、すなわち第１領域３１１の側に凹み、かつ折り曲げ予定線と交差する凹部３１８を有してよい。この場合、上記凹部３１８の分だけ、折り曲げ線３０（折り曲げ予定線）が短くなるため、保持シート３を折り曲げやすい。
【００５２】
塗布用品１は、保護シート９と、支持シート４とを備えてよい。保護シート９は、保持シート３の表面３１のうち第２領域３１２の少なくとも一部と分離可能に接合していてよい。支持シート４は、保持シート３の表面３１の少なくとも一部または保持シート３の外縁の少なくとも一部と分離可能に接合していてよい。この場合、保持シート３を保護または支持することが可能である。また、使用者が保護シート９を把持して引き剥がそうとする際、保持シート３の第２領域３１２と保護シート９との接合の力により、保持シート３を支持シート４から取り外すことが可能である。よって、取り外し作業を容易化できる。なお、塗布用品１は、保護シート９または支持シート４を備えなくてもよい。例えば、塗布具２がそのまま塗布用品１であってもよい。
【００５３】
保持シート３の第２領域３１２の部分３１２Ａに対する保護シート９の剥離強度は、第１支持シート４１に対する保持シート３の剥離強度よりも、大きくてよい。この場合、保持シート３の部分３１２Ａと保護シート９との接合の力により、保持シート３を第１支持シート４１から取り外すことが容易である。
【００５４】
保護シート９は、保持シート３の表面３１のうち第２領域３１２の一部である部分３１２Ａと分離可能に接合する一方、第２領域３１２の他の一部である部分３１２Ｂと接合していなくてよい。この場合、使用者が、例えば第２領域３１２の部分３１２Ａと保護シート９との接合の力により、保護シート９とともに保持シート３を支持シート４から取り外した状態で、保持シート３の第２領域３１２の部分３１２Ｂは、保護シート９と接合していない。保持シート３のうち保護シート９と接合していない部分３１２Ｂを把持することで、保持シート３を変形させた後、この保持シート３すなわち塗布具２を保護シート９から取り外すことが可能である。この場合、保護シート９の部分３１２Ａが接合により保護シート９に固定されているため、上記変形を容易に行うことができる。また、保持シート３のうち保護シート９と接合していない部分３１２Ｂを把持することで、保持シート３を、変形させながら、保護シート９から取り外すことも可能である。この場合、塗布用品１からの塗布具２の取り出しと、塗布具２の形成とを、並行して効率的に行うことができる。なお、保護シート９は、保持シート３の表面３１のうち、第２領域３１２の全部と分離可能に接合していてもよい。
【００５５】
保護シート９または第１支持シート４１と、保持シート３との接合は、接着剤を用いる接着、例えば粘着剤を用いる粘着に限らない。ヒートシールであってもよい。また、面ファスナー、すなわち複数のフックとループ等による機械的接合、または静電気により密着する場合の電気的接合等であってもよい。粘着部を介した接着である場合、粘着剤等を用いて簡便に、分離可能な接合を実現できる。
【００５６】
保持シート３の裏面３２の少なくとも一部に、粘着部が設けられていてよい。この場合、第１支持シート４１は、上記粘着部を介して、保持シート３と分離可能に接合、具体的には接着することができる。また、折り曲げにより対向する裏面３２の部分同士を、上記粘着部を介して接着させることができるため、保持シート３の折り曲げ状態、すなわち塗布具２の形状を、容易に保つことができる。保持シート３を折り曲げにより変形させてから保護シート９から取り外す場合、この変形させた状態を保ちながら保持シート３を保護シート９から取り外すことが、容易である。また、裏面３２が露出した状態で保持シート３を保護シート９から取り外す場合、指と裏面３２とを接着させ、この接着の力により、保持シート３を保護シート９から取り外すことが可能である。なお、保持シート３の表面３１のうち第２領域３１２の少なくとも一部に、粘着部、例えば粘着層が設けられていてもよい。また、第１支持シート４１の表面４１１の少なくとも一部に、粘着部が設けられていてもよい。また、保持シート３の裏面３２に、粘着部が設けられていなくてもよい。
【００５７】
保持シート３の裏面３２のうち、表面３１の第１領域３１１に重畳する領域に、粘着部としての粘着層８２が設けられていてよい。この場合、裏面３２のうち第１領域３１１の反対側にあって第１領域３１１に重畳する部分同士を、上記粘着部を介して接着可能であるため、第１領域３１１における折り曲げ部分２０を形成または保持しやすい。なお、保持シート３の裏面３２のうち、表面３１の第１領域３１１に重畳する領域の全部ではなく、一部のみに、粘着部、例えば粘着層８２が設けられていてもよい。
【００５８】
また、保持シート３の裏面３２のうち、表面３１の第２領域３１２に重畳する領域に、粘着部としての粘着層８２が設けられていてよい。この場合、裏面３２のうち第２領域３１２の反対側にあって第２領域３１２に重畳する部分同士を、上記粘着部を介して接着可能であるため、塗布具２の把持部を折り曲げによって形成または保持しやすく、第２領域３１２を含む部位を把持する指の力を、上記接着の力によって低減可能である。なお、保持シート３の裏面３２のうち、表面３１の第２領域３１２に重畳する領域の全部ではなく、一部のみに、粘着部、例えば粘着層８２が設けられていてもよい。
【００５９】
保持シート３の裏面３２のうち、表面３１の第１領域３１１に重畳する領域の粘着層８２と、第２領域３１２に重畳する領域の粘着層８２とは、連続していてよい。この場合、使用者が、表面３１の第２領域３１２を含む部位を把持して、裏面３２のうち第２領域３１２の反対側にあって第２領域３１２に重畳する部分同士を接着させる際、裏面３２のうち第１領域３１１の反対側にあって第１領域３１１に重畳する部分同士をも接着させることが容易である。これにより、第１領域３１１における折り曲げ部分２０を容易に形成することができる。
【００６０】
＜第２の実施形態＞
次に、図８を参照して、第２の実施形態に係る塗布用品１について説明する。第１の実施形態と共通する点については、説明を省略する。塗布用品１は、平面視で例えば正方形等の矩形状である。１つの塗布用品１が、塗布具２として機能しうる保持シート３を複数、本実施形態では２つ、含んでいる。第２支持シート４２は、孔４２３を２つ有している。１つの第２支持シート４２が、２つの保持シート３とともに１つの本体シート５を構成している。各保持シート３において、塗布剤６を保持している表面３１は、塗布剤６を保持している第１領域３１１と、塗布剤６を保持していない第２領域３１２とを有している。表面３１における第１領域３１１の外縁の一部は、保持シート３の外縁の一部である。表面３１における第２領域３１２の外縁の一部は、保持シート３の外縁の一部である。
【００６１】
保護シート９のうち、１つの保持シート３の第１領域３１１に重畳する領域、言い換えると塗布剤６に重畳する領域の、少なくとも一部９３は、透明である。保護シート９の表面９１には、当該塗布用品１の塗布剤６と同じまたは同種の塗布剤を収容する、当該塗布用品１と異なる他の塗布用品１００、例えば化粧用品のイラストが、印刷等により描かれている。すなわち、本実施形態の塗布用品１はシート状であるのに対し、描かれた他の塗布用品１００は、繰り出し式の口紅であり、塗布剤６としての口紅本体１０１と、それを収容する容器１０２とを含む。
【００６２】
このように、本実施形態の塗布用品１は、保持シート３、言い換えると塗布具２を複数有する。よって、各塗布具２が固有の色または種類の塗布剤６を有することができるため、例えば一連の塗布作業を１つの塗布用品１によって実現可能となる。なお、塗布具２の数は任意である。また、各塗布具２が互いに異なる形状または大きさを有していてもよい。また、塗布剤６の色または種類は、複数の塗布具２の間で異なっていても共通であってもよい。
【００６３】
本実施形態の塗布用品１では、保護シート９のうち塗布剤６に重畳する領域を介して塗布剤６を視認可能であるため、塗布用品１から保持シート３を取り出す前に、実際の塗布剤６を確認することができる。すなわち、保護シート９のうち塗布剤６に重畳する領域の少なくとも一部９３は、透明である。よって、使用者は、保護シート９の表面９１から上記一部９３を通して塗布剤６の実際の色または質感等を確認可能である。なお、上記一部９３は、それを通して保護シート９の表面９１の側から使用者が塗布剤６の色等を視認することができればよく、透光性を有するもの、例えば半透明なものまたは網点印刷されたもの等であってもよい。
【００６４】
保護シート９の表面９１には、当該塗布用品１の塗布剤６と同じまたは同種の塗布剤を収容する、当該塗布用品１と異なる他の塗布用品１００が描写されている。よって、当該塗布用品１が他の塗布用品１００と同じまたは同種の塗布剤６を含むことを、使用者に直感的に知らせることができる。なお、上記描写は、イラストに限らず写真等により行われてもよく、何らかの意味で表されていればよい。また、表面９１に描写されるものは、塗布用品１００に限らず、塗布剤６が塗布される対象、例えば人の顔またはその部分、具体的には唇等であってもよい。この場合、塗布剤６の塗布対象を、使用者に直感的に知らせることができる。保護シート９に描写された塗布用品１００の塗布剤相当部分または塗布対象が、透明であるか、または透光性を有しており、これらを透過して塗布剤６の色等を視認できるようにすれば、実際の使用状態を使用者が容易に想像することができる。また、表面９１に描写されるものは、塗布剤の色または質感を示唆する物品であってもよい。例えば、塗布剤６がマカロンカラーのアイシャドウである場合に、塗布剤６と同じ色味を有する菓子のマカロンが、塗布剤６の色または仕上がりをイメージさせるモチーフとして、表面９１に描かれていてもよい。
【００６５】
＜変形例＞
以下、図９〜２６を参照して、第１、第２の実施形態に適用可能な、保持シート３の変形例を説明する。各変形例において、第１の実施形態と共通する点については、説明を省略する。
【００６６】
（第１変形例）
図９に示す第１変形例では、第１領域３１１の外縁は、保持シート３の外縁よりも内側にある。すなわち、第１領域３１１の外縁と、保持シート３の外縁との間に、塗布剤６が保持されていない余白領域としての第２領域３１２がある。よって、使用者は、図１０に示すように塗布具２を把持することで、塗布剤６を対象に塗布したのち、この余白領域としての第２領域３１２で、塗布した塗布剤６を均一に伸ばしたり、余分に付いた塗布剤６を拭き取ったりすることができる。言い換えると、第２領域３１２の外縁は、保持シート３の外縁である。よって、余白領域としての保持シート３の外縁を用いて、塗布した塗布剤６を均一に伸ばしたり、余分に付いた塗布剤６を拭き取ったりすることを、線的に行うことができる。
【００６７】
折り曲げ予定線は、第１領域３１１および第２領域３１２を通る。よって、第２領域３１２すなわち余白領域における折り曲げ部分２０により、塗布した塗布剤６を均一に伸ばしたり、余分に付いた塗布剤６を拭き取ったりすることを、線的に行うことができる。また、第１領域３１１すなわち塗布剤６を保持する領域の折り曲げ部分２０に、第２領域３１２すなわち余白領域の折り曲げ部分２０が、折り曲げ線３０に沿う方向で隣接している。よって、塗布剤６の塗布と伸ばしたり拭き取ったりすることとを、折り曲げ部分２０において連続した動作で行うことが容易である。これにより、余白領域による上記機能を向上させ、塗布具２の操作性・塗布性能を向上できる。
【００６８】
図９に示すように、保持シート３の外縁ならびに第１領域３１１および第２領域３１２の外縁は、折り曲げ予定線としての対称軸線３００が延びる方向における中点を通りかつ対称軸線３００に直交する直線（以下、これを第２の対称軸線という。）に関して対称である。よって、図１０に示すように、折り曲げ予定線に沿って折り曲げられた状態の保持シート３すなわち塗布具２の輪郭は、上記第２の対称軸線を基準とした線対称の形状となるため、塗布具２の表裏、言い換えると折り曲げ線３０に沿った方向性を気にしなくて済む。
【００６９】
（第２変形例）
図１１に示す第２変形例では、折り曲げ予定線としての対称軸線３００は、第１領域３１１のみを通り、第２領域３１２を通らない。保持シート３の外縁の一部である第１領域３１１の外縁の一部３１３、言い換えると保持シート３の外縁に重畳している一部３１３は、複数（本変形例では２つ）ある。よって、塗布具２は、複数（２つ）の部分で、実施形態と同様の利点を有する。
【００７０】
塗布剤６が保持される部分である第１領域３１１のうち、線的な塗布、言い換えると小チップとして用いることが可能な部分は、保持シート３が変形されない状態では、第１領域３１１の外縁における上記２つの一部３１３であり、保持シート３が変形された状態では、図１２に示すように、上記２つの一部３１３に折り曲げ部分２０を加えた、計３つとなる。
【００７１】
（第３変形例）
図１３に示す第３変形例では、第１領域３１１の外縁の上記一部３１３は、２つの直線３１９Ａ，３１９Ｂにより挟まれる、外側に凸の角部３１７を２つ有している。よって、図１４に示すように、使用状態の塗布具２において、第１領域３１１の外縁の上記角部３１７が外側に突出する。この角部３１７を、塗布剤６が保持された点状部分である極小チップとして用いることができる。一方、第１領域３１１において上記角部３１７を含む部分の線３１９Ａ，３１９Ｂまたは面を、塗布対象の面に近づけるよう傾けると、塗布剤６が保持された線状部分である小チップまたは面状部分である大チップとしても用いることができる。このように点的な塗布と線的・面的な塗布の使い分けが容易であり、塗布具２の操作性・塗布機能を向上できる。これは、保持シート３が、折り曲げ予定線としての対称軸線３００に沿って折り曲げられる場合に限らず、折り曲げられない状態で使用される場合も、同様である。なお、上記角部３１７を挟む２つの線は、少なくとも１つの直線を含んでいればよく、一方が曲線であってもよい。
【００７２】
（第４変形例）
図１５に示す第４変形例では、第２変形例と同じく、保持シート３の外縁の一部である第１領域３１１の外縁の一部３１３は、複数（本変形例では２つ）ある。第２領域３１２の一部３１６，３１６は、対称軸線３００を挟んで分離している。
【００７３】
塗布剤６が保持される部分である第１領域３１１のうち、小チップとして線的な塗布が可能な部分は、保持シート３が変形されない状態では、第１領域３１１の外縁における上記２つの一部３１３Ａ，３１３Ｂであり、保持シート３が変形された状態では、図１６に示すように、上記２つの一部３１３Ａ，３１３Ｂに折り曲げ部分２０を加えた、計３つとなる。
【００７４】
図１５に示すように、第２領域３１２の２つの部分３１２Ａ，３１２Ｂの突出方向３０９が互いになす角度は、鈍角である。よって、第２領域３１２の上記一部３１６，３１６が大きくなることを抑制できる。このため、上記部分３１２Ａ，３１２Ｂに挟まれる第１領域３１１の外縁の一部３１３Ｂを、把持部である第２領域３１２の一部３１６，３１６に妨げられることなく塗布に用いることが、容易である。
【００７５】
（第５変形例）
図１７に示す第５変形例では、保持シート３は、表面３１と裏面３２とに接続する孔３３が貫通する中空状である。折り曲げ予定線としての対称軸線３００Ａは、第２領域３１２を通り、かつ第１領域３１１に連続しない第３部分３０３を有する。第１領域３１１は、孔３３の内縁の少なくとも一部に連続している。言い換えると、第１領域３１１の外縁の一部３１３Ｂは、孔３３の内縁の一部であり、当該内縁と重畳している。よって、表面３１のうち孔３３の内縁まで塗布剤６を保持することが可能となる。これにより、表面３１の面積を小さくしつつ、塗布剤６が保持される領域を保持シート３の外周縁まで拡張することで、保持シート３において塗布剤６が占める面積を大きく確保できる。
【００７６】
保持シート３の内縁のうち第１領域３１１が連続している部分３１３Ｂに折り曲げ部分２０が含まれるようにすることで、図１８に示すように、折り曲げられた状態の保持シート３すなわち塗布具２において、表面３１のうち孔３３の内縁に相当する部位またはその近傍を塗布に使えるようになる。このため、塗布具２の塗布機能を向上できる。また、折り曲げ線３０と上記内縁とが交差する部分を、塗布剤６が保持された角部３１４とすることが可能である。この角部３１４の先端およびその近傍である点状部分を塗布に用いることで、より細かい部分の塗布が可能となる。なお、折り曲げ線３０が延びる方向で外側に切れ込む凹部を保持シート３の内縁に予め形成する等により、折り曲げ線３０と内縁とが交差する部分を、角部がない形状、例えば外側に凸の曲線状としてもよい。表面３１の中心周りにおける第１領域３１１の角度範囲は任意であり、例えば１８０度より大きくてもよい。
【００７７】
塗布剤６が保持される部分である第１領域３１１のうち、小チップとして線的な塗布が可能な部分は、保持シート３が変形されない状態では、第１領域３１１の外縁の上記一部３１３Ａであり、保持シート３が変形された状態では、図１８に示すように、上記一部３１３Ａに折り曲げ部分２０を加えた、計２つとなる。
【００７８】
（第６変形例）
第６変形例では、図１７に示すように、第５変形例の構成に加え、折り曲げ予定線は、第１領域３１１および第２領域３１２を通る対称軸線３００Ａと、第２領域３１２を通り第１領域３１１を通らない対称軸線３００Ｂとを有する。折り曲げ予定線は、第２領域３１２を通り、第１領域３１１に連続しない第３部分３０３を複数（本変形例では３つ）有する。よって、使用者は、第３部分３０３に沿って保持シート３を折り曲げることで、第１領域３１１の変形とは直接関係なく、第２領域３１２を変形させることが可能である。第２領域３１２を変形させることで、塗布具２の把持部の大きさを変えたり、当該把持部を第１領域３１１すなわち塗布部分に近づけたりすることができる。具体的には、保持シート３を、対称軸線３００Ｂに沿って折り曲げたのち、対称軸線３００Ａに沿って折り曲げる。このようにして形成された塗布具２では、図１９に示すように、把持部は、第５変形例よりも小さく、かつ第１領域３１１に近い。
【００７９】
少なくとも１つの第３部分３０３が延びる方向、例えば対称軸線３００Ｂが延びる方向は、第１領域３１１を通る折り曲げ予定線としての対称軸線３００Ａが延びる方向に対し、ゼロより大きい角度を有する。よって、第１領域３１１の折り曲げ方向とは別の方向に、第２領域３１２を折り曲げることが容易である。
【００８０】
（第７変形例）
図２０に示す第７変形例では、折り曲げ予定線は、第２領域３１２を通り、第１領域３１１に滑らかに連続しない第４部分３０４を複数（本変形例では２つ）有する。よって、使用者は、第４部分３０４に沿って保持シート３を折り曲げることで、第１領域３１１の変形とは直接関係なく、第２領域３１２を容易に変形させることができる。第２領域３１２を変形させることで、塗布具２の把持部を把持しやすい形状にしたり当該把持部を第１領域３１１（塗布部分）に近づけたりすることができる。具体的には、表面３１の側から見て、保持シート３を、第１部分３０１および第４部分３０４に沿って山折りするとともに、第２部分３０２に沿って谷折りする。このように形成された本変形例の塗布具２では、図２１に示すように、把持部は、第１領域３１１により近づいた位置で、第１領域３１１を含む部分に対しゼロより大きい角度をなして延びる。
【００８１】
図２０に示すように、第４部分３０４が延びる方向は、第１領域３１１を通る折り曲げ予定線としての第１部分３０１が延びる方向に対し、ゼロより大きく９０度より小さい角度を有する。よって、第１領域３１１の折り曲げを強化することができる。
【００８２】
（第８変形例）
図２２に示す第８変形例では、第１領域３１１を通る折り曲げ予定線が２以上（本変形例では２つ）ある。具体的には、折り曲げ予定線は、第１領域３１１を通る２つの対称軸線３００Ａ，３００Ｃを有する。よって、折り曲げ予定線に沿った第１領域３１１の折り曲げを複数回行うことが可能である。これらの折り曲げの順序または方向を変えることで、最終的な塗布具２において表側に露出する第１領域３１１の形状または大きさを異ならせることができる。
【００８３】
例えば、保持シート３を、対称軸線３００Ｃに沿って折り曲げたのち、第１領域３１１の面積が大きい側が表面となり外部に露出するように、対称軸線３００Ａに沿って折り曲げる。このように形成された塗布具２では、図２３に示すように、把持部の面積が比較的小さく、第１領域３１１の面積が比較的大きくなる。よって、塗布に利用できる面や線の範囲を大きく確保することが可能である。
【００８４】
一方、保持シート３を、対称軸線３００Ｃに沿って折り曲げたのち、第１領域３１１の面積が小さい側が表面となり外部に露出するように、対称軸線３００Ａに沿って折り曲げることもできる。このように形成された塗布具２では、図２４に示すように、把持部の面積が比較的大きく、第１領域３１１の面積が比較的小さくなる。よって、塗布剤６と指との干渉を避けつつ塗布具２を把持することがより容易となり、塗布具２の操作性を向上できる。
【００８５】
（第９変形例）
図２５に示す第９変形例では、保持シート３は複数（本変形例では４つ）ある。すなわち、塗布用品１は、複数の保持シート３を有する。各保持シート３は、隣接する保持シート３との間の領域で分割可能に設けられている。分割され取り出された各保持シート３は、図２６に示すように、例えば折り曲げた状態で使用可能である。具体的には、保持シート３は、切れ目７を有する。切れ目７は、保持シート３の厚さ方向に延びて保持シート３の表面３１および裏面３２に接続している。切れ目７は、保持シート３の面に沿って、隣接する２つの保持シート３の間を延び、保持シート３および本体シート５の外縁に連続している。
【００８６】
このように、複数の保持シート３は、切れ目７により互いに分離可能である。よって、塗布用品１の本体シート５において複数の保持シート３が所定の距離の隙間をおいて配置されている場合に比べ、複数の保持シート３の生産性を向上できる。また、上記隙間を省略することで、１つの塗布用品１の本体シート５の中に複数の保持シート３を効率的に配置し、塗布用品１の全体としての寸法を抑制することが容易である。例えば、図２５に示すように、４つの保持シート３の第１領域３１１が集合することで１つの正方形の領域が形成されている。塗布用品１の製造時には、上記１つの正方形の領域に塗布剤６を設ければ足りる。なお、複数の保持シート３は、切れ目７に代えて、脆弱部、例えばミシン目、罫線加工、またはハーフカット等により互いに分離可能であってもよい。
【００８７】
以上、添付図面を参照しながら本発明の好適な実施形態について詳細に説明したが、本発明の技術的範囲はかかる例に限定されない。本発明の技術分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００８８】
例えば、塗布剤は、化粧料に限らず、制汗料、整髪料、消毒剤その他の薬剤等であってもよい。
【符号の説明】
【００８９】
１  塗布用品
２  塗布具
３  保持シート
３００  対称軸線（折り曲げ予定線）
３１  表面（第１面）
３１１  第１領域
３１２  第２領域
３２  裏面（第２面）
４  支持シート
６  塗布剤
８２  粘着層（粘着部）
９  保護シート
【図１】
2020054435.tif 000003
【図２】
2020054435.tif 000004
【図３】
2020054435.tif 000005
【図４】
2020054435.tif 000006
【図５】
2020054435.tif 000007
【図６】
2020054435.tif 000008
【図７】
2020054435.tif 000009
【図８】
2020054435.tif 000010
【図９】
2020054435.tif 000011
【図１０】
2020054435.tif 000012
【図１１】
2020054435.tif 000013
【図１２】
2020054435.tif 000014
【図１３】
2020054435.tif 000015
【図１４】
2020054435.tif 000016
【図１５】
2020054435.tif 000017
【図１６】
2020054435.tif 000018
【図１７】
2020054435.tif 000019
【図１８】
2020054435.tif 000020
【図１９】
2020054435.tif 000021
【図２０】
2020054435.tif 000022
【図２１】
2020054435.tif 000023
【図２２】
2020054435.tif 000024
【図２３】
2020054435.tif 000025
【図２４】
2020054435.tif 000026
【図２５】
2020054435.tif 000027
【図２６】
2020054435.tif 000028